(57)【要約】　　　（修正有）【課題】組み立て工程を減らせて生産コストを抑えしかも安全性の高い製品を確保できる液体塗布具を提供すること。【解決手段】塗布液が充填されている収納管と、その先端部に連結使用される塗布部１１を備えた先軸体１２との組み合わせからなる塗布具であって、収納管の中央内部には塗布液後端面と接触したまま収納管内を摺動自在な押板２で後端が仕切られた貯留部が形成され、その貯留部の先端通路には塗布液を封止するシール材９が保持される絞り通路８と先軸体１２への連結通路７とが連続一体化されており、使用開始時に先軸体の後端部を収納管の連結通路内に深く嵌合し本接合させることによって該先軸体の後端突出部がシール材を絞り部から貯留部内へ押し出してその封止抜きが行なわれ、貯留部から先端塗布部への塗布液の供給を可能としたことを特徴とする液体塗布具。【選択図】　　　図１
2004050561.tif 000002
【特許請求の範囲】
【請求項１】
塗布液が充填されている収納管と、その先端部に連結使用される塗布部を備えた先軸体との組み合わせからなる塗布具であって、収納管の中央内部には塗布液後端面と接触したまま収納管内を摺動自在な押板で後端が仕切られた貯留部が形成され、その貯留部の先端通路には塗布液を封止するシール材が保持される絞り通路と先軸体への連結通路とが連続一体化されており、使用開始時に先軸体の後端部を収納管の連結通路内に深く嵌合し本接合させることによって該先軸体の後端突出部がシール材を絞り部から貯留部内へ押し出してその封止抜きが行なわれ、貯留部から先端塗布部への塗布液の供給を可能としたことを特徴とする液体塗布具。
【請求項２】
シール材が保持される絞り通路は、その通路周囲が貯留部側から先軸体方向に向けて設けられた深い環状凹部によって薄肉化された中空管とされ、シール材の密封（シール）性を高め、且つ絞り通路から貯留部内への封止抜きを容易にしたものである請求項１に記載の液体塗布具。
【請求項３】
使用開始前には、先軸体の後端部が収納管先端の連結通路でシール材の封止抜きが行なわれないだけの嵌合隙間を残して仮接合されている請求項１又は２に記載の塗布具。
【請求項４】
使用開始前には、先軸体の外周面の一部に係止状態で先軸体全体を被覆するキャップが収納管先端外周の縮小段差部との間に嵌合隙間を確保させるストッパーを介在させた状態で収納管先端部へ仮接合されており、使用開始時に上記ストッパーを取り除いてキャップを収納管先端方向に押し込みそれに連動して係止した先軸体の後端部を嵌合隙間がなくなるまで収納管先端の連結通路内に深く嵌合し本接合させる請求項１〜３のいずれか１項に記載の液体塗布具。
【請求項５】
使用開始前には、先軸体に係止されることなく先軸体全体を被覆するキャップがストッパーなしに収納管先端外周の縮小段差部へ本接合されており、使用開始時にキャップだけを取り除いてから先軸体の後端部を嵌合隙間がなくなるまで収納管先端の連結通路内に深く嵌合し本接合させる請求項１〜３のいずれか１項に記載の液体塗布具。
【請求項６】
収納管の後端部には、塗布液後端面と接触したまま収納管内を摺動自在な押板を押圧前進させる操作手段が設けられている請求項１〜５のいずれか１項に記載の液体塗布具。
【発明の詳細な説明】
【０００１】
【発明の属する技術分野】
本発明は、筆記用インキやマニキュア用液体化粧料、その他の液状体を塗布（筆記という概念も含む）するための液体塗布具に関し、より詳しくは、製品保管時や販売時等の使用開始前の状態において、先端塗布部への液体供給を確実にストップしておき、購入者が使用開始する場合に簡単な操作で先端塗布部へ液体を導通させるようにした液体塗布具に関するものである。
【０００２】
【従来の技術】
従来、この種の塗布具として実公平７−２５２５９号が知られている。このタイプの塗布具では、未使用状態を維持できるように塗布部を有する先軸体と液体を収納した軸本体との接合部にストッパーを介在させた密閉構造において、特に液体を入れた軸本体の開口端には、液体を密閉するための封止ボールを密嵌したシールボール受けが設けられている。この場合にシールボール受けでの封止ボールの密封（シール）性を高めるためにはシールボール受け自体を柔らかい軟質材で成形せざるを得なかったこともあり軸本体とは異なる材質の成形体を組合わせたものであった。
【０００３】
【発明が解決しようとする課題】
このために製品塗布具の組み立て製造時においては、軸本体に塗布液体を充填後にシールボール受けを軸本体の開口端に圧入し、次に封止ボールを圧入するといった複数の工程を経なければならなかった。また、シールボール受けが軟質のため封止ボールにて密封状態の軸本体内が加圧状態になるとシールボール受けが軸本体より抜け易い危険もあった。本発明の課題は、斯かる実情に鑑み、製品塗布具の組み立て工程を減らせて生産コストを抑えしかも安全性の高い製品を確保できる液体塗布具を提供することを課題とする。
【０００４】
【課題を解決するための手段】
本発明者等は、かかる課題を解決するために種々検討の結果、シール材受けを貯留部先端と連続一体化構造の絞り部で形成させる本発明を完成した。
すなわち、本発明の請求項１に記載の液体塗布具は、塗布液が充填されている収納管と、その先端部に連結使用される塗布部を備えた先軸体との組み合わせからなる塗布具であって、収納管の中央内部には塗布液後端面と接触したまま収納管内を摺動自在な押板で後端が仕切られた貯留部が形成され、その貯留部の先端通路には塗布液を封止するシール材が保持される絞り通路と先軸体への連結通路とが連続一体化されており、使用開始時に先軸体の後端部を収納管の連結通路内に深く嵌合し本接合させることによって該先軸体の後端突出部がシール材を絞り部から貯留部内へ押し出してその封止抜きが行なわれ、貯留部から先端塗布部への塗布液の供給を可能としたことを特徴とする。
【０００５】
また、上記本発明に係る請求項２に記載の液体塗布具においては、シール材が保持される絞り通路は、その通路周囲が貯留部側から先軸体方向に向けて設けられた深い環状凹部によって薄肉化された中空管とされ、シール材の密封（シール）性を高め、且つ絞り通路から貯留部内への封止抜きを容易にしたものである。これによって、シール材にて密封状態の貯留部内が加圧状態になっても小径吐出通路の絞り通路は収納管と一体であることから抜けることがなく、しかも絞り通路の中空管肉厚を最小限に薄肉化することが出来る。また外観に影響する成形時のヒケが抑えられること、薄肉化した中空管絞り通路による弾性力でシール材のシール効果が高まること、封止抜きが容易になる等で好ましい。
【０００６】
上記本発明に係る請求項３に記載の液体塗布具は、使用開始前には、先軸体の後端部が収納管先端の連結通路でシール材の封止抜きが行なわれないだけの嵌合隙間を残して仮接合されていることを特徴とする。
さらに上記本発明に係る請求項４に記載の液体塗布具は、使用開始前には、先軸体の外周面の一部に係止状態で先軸体全体を被覆するキャップが収納管先端外周の縮小段差部との間に嵌合隙間を確保させるストッパーを介在させた状態で収納管先端部へ仮接合されており、使用開始時に上記ストッパーを取り除いてキャップ先端を収納管先端方向に押し込みそれに連動して係止した先軸体の後端部を嵌合隙間がなくなるまで収納管先端の連結通路内に深く嵌合し本接合させることを特徴とする。この場合は、ストッパーの介在によって使用開始前に誤って先軸を軸本体へ深く嵌合し本接合を生じさせる危険が防止されるので好ましい。
【０００７】
さらに、上記本発明に係る請求項５に記載の液体塗布具は、使用開始前には、先軸体に係止されることなく先軸体全体を被覆するキャップがストッパーなしに収納管先端外周の縮小段差部へ本接合されており、使用開始時にキャップだけを取り除いてから先軸体の後端部を嵌合隙間がなくなるまで収納管先端の連結通路内に深く嵌合し本接合させることを特徴とする。
この場合は、ストッパーなしでもキャップを外さない限り使用開始前に誤って先軸を軸本体へ深く嵌合し本接合を生じさせる危険が防止されるので、ストッパーが不要となりより好ましい。
【０００８】
さらに、上記本発明に係る請求項６に記載の液体塗布具は、収納管の後端部には、塗布液後端面と接触したまま収納管内を摺動自在な押板を押圧前進させる操作手段が設けられていることを特徴とする。
これによって、塗布液体の残留量が変化しても後端部からの操作手段で押圧できることから、塗布液の塗布変動を抑えることができる。
【０００９】
【発明の実施の形態】
以下、本発明の実施の形態について詳細に説明する。
本発明の液体塗布具とは、筆記用や化粧用等を対象とする。塗布具を形成する材質は合成樹脂製で塗布液の収納管及び先軸体は、射出成形法にて加工したものが望ましい。また充填される塗布液としては、筆記用の場合には、筆記用有色インキ、又は誤記等を隠蔽して修正可能とする白色インキ等である。また化粧用の場合には、マニキュア用液体化粧料、液体化粧ペイント等の化粧料等が挙げられる。また収納管の先端部に装着される塗布部の構造は、多数の繊維を束ねて先細状とした穂先、或いは球状ボールとそれを保持しているチップホルダーからなるボールペンタイプ等、任意の塗布具等が挙げられるが特に限定されない。
【００１０】
軸本体の後端部で押板を中央内部の貯留部へ押圧前進させる操作手段としては、ボルトネジをつけてねじ込み式に突出させるネジ棒か、圧縮復元力を利用して突出させる加圧スプリング等が望ましい。また、押板を摺動自在に前進させる操作手段としては、上記のネジ棒又は加圧スプリングの末端部を軸本体の尾栓と連結し、該尾栓を回転させるか、スライド式又はノック式で前進させて押板を塗布液末端部に接触させて該塗布液の消費に従って貯留部内を摺動自在に前進させることができるものであればよく、さらに所定の位置で係止させるものであればより好ましい。さらに押板の形状は、ピストン式が好ましく塗布液で浸されないものであればその材質は限定されない。
【００１１】
また、貯留部の先端通路には塗布液を封止するシール材が保持される絞り通路と先軸体への連結通路とが連続一体化されて形成されるが、該絞り通路の断面形状は塗布液の通過を制限する円形等の小孔通路を有する厚肉構造であってもよい。但し特に好ましい実施形態としては、シール材が保持される絞り通路は、その通路周囲が貯留部側から先軸体方向に向けて設けられた深い環状凹部によって薄肉化された中空管とされているものである。また絞り部には塗布液を封止するシール材が保持されるが、シール材としては塗布液で浸されないものであればその材質は限定されない。またシール材の形状としては、ボール（球）状、円筒状、その他の柱状体であってもよい。特にボール（球）状では、シール抜け後に貯留部内の塗布液を撹拌して沈降を抑える効果が優れる点で最も好ましい。
【００１２】
【実施例】
以下、本発明の実施例を図示例と共に詳細に説明する。
【００１３】
実施例１
図１は本発明の第１の実施例で、中央断面線の上半分が収納管の先端に先軸体とキャップを仮接合している状態を、下半分が収納管の先端に先軸体とキャップを本接合した状態を示す縦断面図である。ここで収納管本体１の後端部には、塗布液後端面と接触したまま収納管内を摺動自在な押板２を押圧前進させる操作手段が設けられている。ここで操作手段としては、ネジ棒３の先端に固定された押板２をボルトネジ込み式で前進させる繰り出し体４及び該繰り出し体を回転操作する尾栓の回転操作筒５からなる。
【００１４】
また収納管の中央内部には塗布液後端面と接触したまま収納管内を摺動自在な上記の押板２で後端が仕切られた貯留部６が形成され、その貯留部６の先端通路には通路が縮小された絞り通路８と先軸体への連結通路７とが連続一体化されている。また絞り通路８には塗布液を封止するボール状のシール材９が保持されている。この場合、絞り通路８に保持されたボール状のシール材９によって使用開始前には貯留部６の塗布液を密封シール状態に維持している。
さらに絞り通路８よりも先端の連結通路７を形成する外周部には縮小段差部１０が形成されている。一方、使用開始前の段階では該収納管先端の連結通路７内には塗布部１１を備えた先軸体１２の後端部１３が嵌合して仮接合される。ここで仮接合とは先軸体の後端部１３の先端と絞り通路８との間に、後端部１３の内部から突出する中空の継ぎ手部１４がシール材９に接触直前で未だ封止抜きが行なわれないだけの嵌合隙間ａを残して接合されている状態をいう。
【００１５】
なお収納管本体１の先端の連結通路７に嵌合し接合する先軸体１２は、合成樹脂製で先細状をしており、その先端内部に多数の繊維を束ねて先細状とした穂先からなる塗布部１１が保持されている。また先軸体１２の後端部１３から突出する中空の継ぎ手部１４は、塗布部への液体の導通孔と上記シール材９を押し出すのに利用される。ここで使用開始前には先軸体１２の後端部外周面１３が収納管本体１の連結通路７に仮接合されている液体塗布具であって、使用開始時にあたり先軸体１２を嵌合隙間ａがなくなるまで収納管と深く嵌合し本接合させるだけで、先軸の内部に装着されてなる継ぎ手部１４の後端部がシール材９を絞り部８の小径通路から貯留部６へ押し出してそのシール栓抜きを行なわせることによって貯留部６から塗布部１１への塗布液の供給が可能となる。
【００１６】
使用開始にあたり先軸体１０を嵌合隙間ａがなくなるまで収納管本体と深く嵌合し本接合させる手段の一例として、上記図１においては、キャップ１５が先軸体の外周面の一部に設けた環状突起部１６に係止状態で先軸体全体を被覆し、且つ嵌合隙間ａを確保させるために嵌合隙間ａと同一寸法幅からなるストッパー１７を介在させて収納管本体へ仮接合されており、使用開始時にはストッパー１７を取り除いてキャップ１５を収納管本体方向に押し込みそれに連動させて先軸体１２を収納管本体１へ嵌合隙間ａがなくなるまで深く嵌合して本接合し、その後でキャップ１５だけを取り外して塗布させるものである。なおストッパー１７の形状は実公平７−２５２５９号で知られている弾性変形可能なＣ状リングでつまみ片を設けたものが好ましい。
【００１７】
実施例２
図２は、前記した実施例１における図１で、使用開始にあたり先軸体１２を嵌合隙間ａがなくなるまで収納管本体１と深く嵌合し本接合させる他の実施態様を示すもので中央断面線の上半分が収納管の先端に先軸体とキャップを仮接合している状態を、下半分が収納管の先端に先軸体とキャップを本接合した状態を示す縦断面図である。図２において、先軸体の外周面に図１で示した環状突起部１６を設けないで、キャップ１５が先軸体に係止することなく先軸体全体を被覆し、且つ、図１で示したストッパー１７なしに軸本体の縮小段差の外周面１０へ本接合させておき、使用開始にあたりキャップ１５を取り除いた後で先軸体１２を嵌合隙間ａ１がなくなるまで収納管本体先端の連結通路７に深く嵌合し本接合させるものである。この場合は、キャップ１５を外さない限り使用開始前に誤って先軸体１２を収納管本体先端の連結通路７へ深く嵌合し本接合を生じさせる危険が防止されるので、前記したストッパー１７が不要となりより好ましい。
【００１８】
実施例３
図３は、本発明の第３の実施例で、中央断面線の上半分が収納管の先端に先軸体とキャップを仮接合している状態を、下半分が収納管の先端に先軸体とキャップを本接合した状態を示す縦断面図である。
図３中、前記図１で説明したものと同じ数字のものは、その図１で説明したものと同じ意味を表すものとする。図１と異なるのは、貯留部先端のシール材が保持される絞り通路８は、その通路周囲が貯留部側から先軸体方向に向けて設けられた深い環状凹部によって薄肉化された中空管とされ、シール材の密封（シール）性を高め、且つ絞り通路から貯留部内への封止抜きを容易にしたものであり、その他の構造は図１と同じである。
この図３においても、ストッパー１７を使用する場合は、図１で説明したと同様にして、使用開始時にストッパー１７を取り除いてキャップ１５を収納管本体方向に押し込みそれに連動させて先軸体１２を収納管本体１へ嵌合隙間ａがなくなるまで深く嵌合し本接合した後でキャップ１５を取り外して塗布させるものである。また、ストッパー１７を使用しない場合は、図２で説明したと同様にして、使用開始にあたりキャップ１５だけを取り除いた後で先軸体１２を嵌合隙間ａがなくなるまで収納管本体と深く嵌合し本接合させることができる。
【００１９】
実施例４
図４は、本発明の第４の実施例で、キャップと先軸体の間に内キャップ１９を介在させ、中央断面線の上半分が収納管本体にキャップ１５と内キャップ１９及び先軸体１２を仮接合している状態を、下半分が収納管本体に先軸体を本接合した状態を示す縦断面図である。図４中、前記図３で説明したものと同じ数字のものは、そこで説明したものと同じ意味を表すものとする。
図３と異なるのは、キャップ１５と先軸体１２の間に内キャップ１９を介在させたことだけである。この場合でも、キャップ１５と収納管本体の縮小段差部１０の後端にストッパー１７を設けて使用する場合は、図１で説明したと同様にして、使用開始時にストッパー１７を取り除いてキャップ１５を軸本体方向に押し込みそれに連動させて内キャップ１９と先軸体１２を収納管本体１へ嵌合隙間ａがなくなるまで深く嵌合し本接合した後でキャップ１５と内キャップ１９を取り外して塗布させるものである。また、ストッパー１７を使用しない場合は、図２で説明したと同様にして、使用開始にあたりキャップ１５だけを取り除いた後で内キャップ１９と先軸体１２を嵌合隙間ａがなくなるまで収納管本体と深く嵌合し本接合させることができる。
【００２０】
【発明の効果】
以上、説明したように本発明の液体塗布具においては、特に貯留部の先端通路には塗布液を封止するシール材が保持される絞り通路と先軸体への連結通路とが連続一体化されており貯留部内の加圧によるシール材受けの絞り通路が収納管本体より抜けることがない。このために内容物の漏れ出しの危険がなくなり、且つ部品点数の削減となり、さらに作業工程も少なくとも１工程減らすことが出来て、従来品より製品の安全性を確保できコストを抑えたものを提供できる。また使用材料の一元化となり、リサイクルを容易にすることにもつながる。更に、貯留部本体と一体としたシール材受け部を薄肉構造とすることによって、軸本体の肉厚部を最小限にすることが出来て、しかも外観に影響する成形時のヒケが抑えられること、薄肉の内管構造による弾性力でシール材のシール効果が高まるなどの作用効果を奏する。
【図面の簡単な説明】
【図１】本発明の第１の実施例で、中央断面線の上半分が仮接合している状態を、下半分が本接合した状態を示す縦断面図である。
【図２】本発明の第２の実施例で、中央断面線の上半分が仮接合している状態を、下半分が本接合した状態を示す縦断面図である。
【図３】本発明の第３の実施例で、中央断面線の上半分が仮接合している状態を、下半分が本接合した状態を示す縦断面図である。
【図４】本発明の第４の実施例で、キャップと先軸体の間に内キャップを介在させ、中央断面線の上半分が仮接合している状態を、下半分が本接合した状態を示す縦断面図である。
【符号の説明】
１　収納管本体
２　押板
３　ネジ棒
４　繰り出し体
５　尾栓の回転操作筒
６　塗布液の貯留部
７　連結通路
８　絞り通路
９　ボール状のシール材
１０　縮小段差部
１１　塗布部
１２　先軸体
１３　先軸体の後端部
１４　中空の継ぎ手部
１５　キャップ
１６　先軸体の環状係合部ストッパー
１７　ストッパー
１８　絞り部の環状凹部
１９　内キャップ
ａ　嵌合隙間
【図１】
2004050561.tif 000003
【図２】
2004050561.tif 000004
【図３】
2004050561.tif 000005
【図４】
2004050561.tif 000006